(57)【要約】      （修正有）【課題】無終端バンドを掛ける平板エレメントの首部にくびれ部を設定することなく、バンドの摩耗を防止する。【解決手段】（ａ）のエレメント１１ｃの左側サドル面１７と首部１４との間に、一方のバンド１２の一側縁１２ａをサドル面１７から逃がす逃げ溝１８を設け、この逃げ溝１８とサドル面１７とを連続に繋ぐ円弧部１９とを形成する。他方のバンド１２に係わる右側サドル面１７は、１７ａで示すように延長させ、この延長に当たっては、他方のバンド１２に近い首部１４の側面から、エレメント中心までの幅をW3/2で示すように、反対側の幅W1/2よりも、首部１４の全長に亘り細くする。（ｂ）のエレメント１１ｄは、一点鎖線で示すエレメント中心の周りにエレメント１１ｃを反転させた構成とし、これらエレメントを（ｃ）のように交互に重ねて無終端形状に連続配置し、これらエレメントのサドル面１７にバンド１２を掛けてＶベルトを組み立る。【選択図】図６
2005273806.tif 000002
【特許請求の範囲】
【請求項１】
プーリＶ溝の対向円錐面にそれぞれ摩擦接触する傾斜側面を有して略Ｖ形を成す平板状のＶ形本体部と、該Ｖ形本体部の幅広側外側面の中程に突設した首部との一体結合に成る平板エレメントを多数個、無終端形状に連続配置して具え、
前記首部を挟んでその両側における前記Ｖ形本体部の幅広側外側面に設定したサドル面に無終端バンドを掛けて構成した組み立て式Ｖベルトにおいて、
前記平板エレメントは、
前記サドル面と前記首部との間において前記Ｖ形本体部の幅広側外側面に、前記無終端バンドの一側縁を前記サドル面から逃がす逃げ溝と、これらサドル面および逃げ溝間を所定の曲率で連続させる円弧部とを形成した第１平板エレメント、および、
この第１平板エレメントの前記首部に前記無終端バンドの一側縁が接しても無終端バンドを全幅に亘り支え続けるよう前記首部を全長に亘り細くしてサドル面を延長させた第２平板エレメント
の２種類の平板エレメントよりなり、これら第１および第２平板エレメントを前記無終端形状に連続配置したことを特徴とする組み立て式Ｖベルト。
【請求項２】
プーリＶ溝の対向円錐面にそれぞれ摩擦接触する傾斜側面を有して略Ｖ形を成す平板状のＶ形本体部と、該Ｖ形本体部の幅広側外側面の中程に突設した首部との一体結合に成る平板エレメントを多数個、無終端形状に連続配置して具え、
前記首部を挟んでその両側における前記Ｖ形本体部の幅広側外側面に設定したサドル面に無終端バンドを掛けて構成した組み立て式Ｖベルトにおいて、
前記平板エレメントは、
一方の無終端バンドに係わる前記サドル面と前記首部との間において前記Ｖ形本体部の幅広側外側面に、該一方の無終端バンドの一側縁を前記サドル面から逃がす逃げ溝と、これらサドル面および逃げ溝間を所定の曲率で連続させる円弧部とを形成され、他方の無終端バンドが前記首部に最接近しても該他方の無終端バンドを全幅に亘り支え続けるよう前記首部を全長に亘り細くして該他方の無終端バンドに係わるサドル面を延長させた第３平板エレメント、および、
前記他方の無終端バンドに係わる前記サドル面と前記首部との間において前記Ｖ形本体部の幅広側外側面に、該他方の前記無終端バンドの一側縁を前記サドル面から逃がす逃げ溝と、これらサドル面および逃げ溝間を所定の曲率で連続させる円弧部とを形成され、前記一方の無終端バンドが前記首部に最接近しても該一方の無終端バンドを全幅に亘り支え続けるよう前記首部を全長に亘り細くして該一方の無終端バンドに係わるサドル面を延長させた第４平板エレメント
の２種類の平板エレメントよりなり、これら第３および第４平板エレメントを交互に配して前記無終端形状に連続配置したことを特徴とする組み立て式Ｖベルト。
【請求項３】
請求項２に記載の組み立て式Ｖベルトにおいて、
前記第４平板エレメントを前記第３平板エレメントに対しバンド幅方向中央線の周りに反転させた時、第３平板エレメントと同仕様になるよう構成し、
第３平板エレメントおよび第４平板エレメントを交互に反転させて前記無終端形状に連続配置したことを特徴とする組み立て式Ｖベルト。
【請求項４】
請求項１〜３のいずれか１項に記載の組み立て式Ｖベルトにおいて、
前記無終端バンドを全幅に亘り支え続けるよう延長させたサドル面と、前記首部との交差隅角部を、該交差隅角内に曲率中心が位置する円弧凹面により構成したことを特徴とする組み立て式Ｖベルト。
【発明の詳細な説明】
【技術分野】
【０００１】
本発明は、Ｖベルト式無段変速機などに用いるのに有用な組み立て式Ｖベルトの改良提案に関するものである。
【背景技術】
【０００２】
組み立て式Ｖベルトとしては通常、特許文献１に記載のように、プーリＶ溝の対向円錐面にそれぞれ摩擦接触する傾斜側面を有した略Ｖ形の平板エレメントを多数個、無終端形状に連続配置し、これら平板エレメントのサドル面に無終端バンドを掛けて構成するのが普通である。
【０００３】
そして図７にも示すように、無終端バンドａの一側縁ｂに応力集中が起きるのを緩和するため、これをサドル面ｃから逃がす逃げ溝ｄを平板エレメントｅに形成し、平板エレメントｅには更に、これらサドル面ｃおよび逃げ溝ｄ間を所定の曲率で連続させる円弧部ｆを形成する技術が特許文献１に示唆されている。
【０００４】
ところで図７の構成では、無終端バンドａの一側縁ｂがサドル面ｃと円弧部ｆとの間における境界部ｇから円弧部ｆを越えて逃げ溝ｄの上方まで大きく張り出していたため、以下の問題を生ずる。
【０００５】
つまり、サドル面ｃと接する無終端バンドａの領域は、サドル面ｃがバンド自動調心用に中高のクラウニング形状に形成されているため、これからの法線力を受けてサドル面ｃのクラウニング形状に沿うようバンド幅方向に大きく湾曲されるのに対し、上記の大きな張り出し部はサドル面ｃから外れていてこれからの法線力を受けないためさほどバンド幅方向に湾曲されない。
【０００６】
このため無終端バンドａが、サドル面ｃと接してバンド幅方向に大きく湾曲される領域と、バンド幅方向にさほど湾曲されることのない張り出し部との境界部において、サドル面ｃから局部的に大きな面圧を受け、ここでの摩耗の進行が他の部分よりも速くなるため、無終端バンドａに摩耗しにくい高価な材料を用いざるを得ないという問題があった。
【０００７】
そこで特許文献１には、図７につき前述したと同様な図８（ａ）に示す平板エレメントｅ1の他に、図８（ｂ）に示すごとく無終端バンドａを常時支え続け得るようサドル面ｃを首部ｈ（図７も参照）に向け延長させ、このように延長させたサドル面ｃと首部ｈとの交差隅角部に無終端バンドａの一側縁ｂが衝突して損傷されることのないよう、首部ｈの側面に無終端バンド一側縁ｂ用の逃げ部ｉを形成した平板エレメントe2を用意し、これら平板エレメントe1,e2を図８（ｃ）に示すように混在させる技術が提案されている。
この技術によれば、無終端バンドａが常時全幅に亘り平板エレメントe2のサドル面ｃにより支持されることとなって、無終端バンドａがバンド幅方向の湾曲量を急変される箇所を持たず、この湾曲量急変部がサドル面ｃから局部的に大きな面圧を受けて局部摩耗するという問題がないため、無終端バンドａに高価な材料を用いる必要がない。
【特許文献１】特開２００２−２８６０９９号公報
【発明の開示】
【発明が解決しようとする課題】
【０００８】
しかし、従来のように首部ｈの側面に無終端バンド一側縁ｂ用の逃げ部ｉを形成した平板エレメントe2を用いるのでは、該平板エレメントe2の首部ｈが幅を本来のW1からW2へと急減されたくびれ部を持つこととなり、この幅狭くびれ部に応力が集中しても強度が低下しないようにするため平板エレメントe2の大型化を免れない。
【０００９】
本発明は、首部の幅が全長に亘って同じであれば、上記のごとく無終端バンド一側縁の逃げを実現するための幅の減少程度なら、首部の強度低下がほとんど問題になることがないとの事実認識にもとづき、
この着想を実現して、首部に幅が急減するくびれ部を設定することなく、従って、応力集中箇所の発生なしに無終端バンド一側縁の逃げ部を設定し得るようにした組み立て式Ｖベルトを提案することを目的とする。
【課題を解決するための手段】
【００１０】
この目的のため、本発明による組み立て式Ｖベルトは、請求項１に記載のごとくに構成する。
先ず本発明の前提となる組み立て式Ｖベルトを説明するに、これは、
プーリＶ溝の対向円錐面にそれぞれ摩擦接触する傾斜側面を有して略Ｖ形を成す平板状のＶ形本体部と、該Ｖ形本体部の幅広側外側面の中程に突設した首部との一体結合に成る平板エレメントを多数個、無終端形状に連続配置して具え、
前記首部を挟んでその両側における前記Ｖ形本体部の幅広側外側面に設定したサドル面に無終端バンドを掛けて構成したものである。
【００１１】
そして、かかる組み立て式Ｖベルトにおける平板エレメントは、
前記サドル面と前記首部との間において前記Ｖ形本体部の幅広側外側面に、前記無終端バンドの一側縁を前記サドル面から逃がす逃げ溝と、これらサドル面および逃げ溝間を所定の曲率で連続させる円弧部とを形成した第１平板エレメント、および、
この第１平板エレメントの前記首部に前記無終端バンドの一側縁が接しても無終端バンドを全幅に亘り支え続けるよう前記首部を全長に亘り細くしてサドル面を延長させた第２平板エレメント
の２種類の平板エレメントよりなり、これら第１および第２平板エレメントを前記無終端形状に連続配置したことを特徴とするものである。
【００１２】
同じ目的のため、本発明による組み立て式Ｖベルトは、請求項２に記載のごとくに構成することもできる。
前提となる組み立て式Ｖベルトを請求項１におけると同じものとするが、
平板エレメントは、
一方の無終端バンドに係わる前記サドル面と前記首部との間において前記Ｖ形本体部の幅広側外側面に、該一方の無終端バンドの一側縁を前記サドル面から逃がす逃げ溝と、これらサドル面および逃げ溝間を所定の曲率で連続させる円弧部とを形成され、他方の無終端バンドが前記首部に最接近しても該他方の無終端バンドを全幅に亘り支え続けるよう前記首部を全長に亘り細くして該他方の無終端バンドに係わるサドル面を延長させた第３平板エレメント、および、
前記他方の無終端バンドに係わる前記サドル面と前記首部との間において前記Ｖ形本体部の幅広側外側面に、該他方の前記無終端バンドの一側縁を前記サドル面から逃がす逃げ溝と、これらサドル面および逃げ溝間を所定の曲率で連続させる円弧部とを形成され、前記一方の無終端バンドが前記首部に最接近しても該一方の無終端バンドを全幅に亘り支え続けるよう前記首部を全長に亘り細くして該一方の無終端バンドに係わるサドル面を延長させた第４平板エレメント
の２種類の平板エレメントよりなり、これら第３および第４平板エレメントを交互に配して前記無終端形状に連続配置したものである。
【発明の効果】
【００１３】
請求項１に記載の本発明による組み立て式Ｖベルトによれば、
第１平板エレメントの逃げ溝が、無終端バンドの一側縁をサドル面から逃がしてこの無終端バンド一側縁に応力集中が起きるのを防止し、
第１平板エレメントの円弧部が、サドル面および逃げ溝間を所定の曲率で連続させることにより、ここから無終端バンドに大きな応力が作用するのを防止して、
無終端バンドの摩耗を防止することができる。
【００１４】
他方で第２平板エレメントの延長させたサドル面は、第１平板エレメントの首部に無終端バンドの一側縁が接しても無終端バンドを全幅に亘り支え続けるため、
無終端バンドがバンド幅方向の湾曲量を急変される箇所を持たないこととなり、この湾曲量急変部がサドル面から局部的に大きな面圧を受けて局部摩耗するという前記の問題を解消することができる。
【００１５】
更に、上記サドル面の延長に際し、首部を全長に亘り細くして当該サドル面の延長を実現するから、
首部に幅が急減するくびれ部を設定することなく、サドル面の延長が実現されることとなり、首部に応力集中する箇所が存在せず、Ｖベルトの大型化を防止することができる。
【００１６】
請求項２に記載の本発明による組み立て式Ｖベルトによれば、
第３平板エレメントおよび第４平板エレメントの逃げ溝がそれぞれ、対応する無終端バンドの一側縁をサドル面から逃がしてこれら無終端バンドの一側縁に応力集中が起きるのを防止し、
第３平板エレメントおよび第４平板エレメントの円弧部がそれぞれ、対応するサドル面および逃げ溝間を所定の曲率で連続させることにより、ここから対応する無終端バンドに大きな応力が作用するのを防止して、
Ｖベルトの耐久性を向上させることができる。
【００１７】
他方で、第３平板エレメントおよび第４平板エレメントの延長させたサドル面はそれぞれ、第４平板エレメントおよび第３平板エレメントの首部に、対応する無終端バンドの一側縁が接するよう無終端バンドが首部に最接近してもこの無終端バンドを全幅に亘り支え続けるため、
無終端バンドがバンド幅方向の湾曲量を急変される箇所を持たないこととなり、この湾曲量急変部がサドル面から局部的に大きな面圧を受けて局部摩耗するという前記の問題を解消することができる。
【００１８】
更に、上記サドル面の延長に際し、首部を全長に亘り細くして当該サドル面の延長を実現するから、
首部に幅が急減するくびれ部を設定することなく、サドル面の延長が実現されることとなり、首部に応力集中する箇所が存在せず、Ｖベルトの大型化を防止することができる。
【発明を実施するための最良の形態】
【００１９】
以下、本発明の実施の形態を、図面に示す実施例に基づき詳細に説明する。
図１および図２は、本発明の一実施例になる組み立て式Ｖベルト１を用いたＶベルト式無段変速機の概略を示し、このＶベルト式無段変速機はプライマリプーリ２およびセカンダリプーリ３を両者のＶ溝が整列するよう配して具え、これらプーリ２，３のＶ溝間に本実施例になる組み立て式Ｖベルト１を掛け渡す。
【００２０】
プライマリプーリ２には図１に矢印により示すごとく、図示せざる前後進切り替え機構を経てエンジン回転を入力し、プライマリプーリ２からＶベルト１を経てセカンダリプーリ３に達した回転は図１に矢印で示すごとく、図示せざるファイナルドライブギヤ組およびディファレンシャルギヤ装置を経て車輪に至るものとする。
【００２１】
上記の動力伝達中にプライマリプーリ２およびセカンダリプーリ３間における回転伝動比（変速比）を変更可能にするために、プライマリプーリ２およびセカンダリプーリ３のＶ溝を形成するフランジのうち一方を固定フランジ２ａ，３ａとし、他方のフランジ２ｂ，３ｂを軸線方向へ変位可能な可動フランジとする。
これら可動フランジ２ｂ，３ｂはそれぞれ、ライン圧を元圧として作り出したプライマリプーリ圧およびセカンダリプーリ圧をプライマリプーリ室２ｃおよびセカンダリプーリ室３ｃに供給することにより固定フランジ２ａ，３ａに向け附勢し、これによりＶベルト１をプーリフランジに摩擦係合させてプライマリプーリ２およびセカンダリプーリ３間での前記動力伝達を可能にする。
【００２２】
なお変速に際しては、目標変速比に対応させて発生させたプライマリプーリ圧およびセカンダリプーリ圧間の差圧により両プーリ２，３のＶ溝幅を変更して、これらプーリ２，３に対するＶベルト１の巻き掛け円弧径を連続的に変化させることで目標変速比を実現することができる。
【００２３】
組み立て式Ｖベルト１は図２に示すように、多数の平板エレメント１１と、これら平板エレメント１１に掛けた無終端積層バンド１２とで以下のごとくに構成する。
各平板エレメント１１は図３に明示するように、
プライマリプーリ２およびセカンダリプーリ３のプーリＶ溝を形成する対向円錐面２ｄ，３ｄ（図１および図２参照）にそれぞれ摩擦接触する傾斜側面１３ａ，１３ｂを有して図３（ｂ）に示すごとく略Ｖ形を成す平板状のＶ形本体部１３と、
該Ｖ形本体部１３のプーリ径方向外方における幅広側外側面１３ｃの中程に突設した首部１４と、
ベルト走行方向に見て図３（ｂ）に示すごとく略三角形を成すよう首部１４の先端に設けられた平板状の三角頭部１５との一体結合により構成する。
【００２４】
上記の平板エレメント１１は多数個を、図１および図２のごとく無終端形状に連続配置する。
そして、これら平板エレメント１１の首部１４を挟んでその両側に図３（ａ），（ｂ）に示すごとく三角頭部１５およびＶ形本体部１３により形成されたスリット部１６にそれぞれ、図１および図２のごとく上記の無終端積層バンド１２を挿入し、無終端積層バンド１２の内周面を、首部１４の両側におけるＶ形本体部１３の幅広側外側面１３ｃに設定したバンド幅方向中高のクラウニング形状としたサドル面１７に掛けて組み立て式Ｖベルト１を組み立てる。
【００２５】
ところで本実施例においては特に、平板エレメント１１を図４（ａ）に示す第１平板エレメント１１ａおよび図４（ｂ）に示す第２平板エレメント１１ｂの２種類の平板エレメントとする。
そして、これら第１平板エレメント１１ａおよび第２平板エレメント１１ｂを、好ましくは図３（ｂ）および図４（ｃ）のごとく交互に重ねて無終端形状に連続配置する。
【００２６】
図４（ａ）に示す第１平板エレメント１１ａは、首部１４の両側におけるサドル面１７と、首部１４との間においてＶ形本体部１３の幅広側外側面１３ｃに、首部１４に近い無終端積層バンド１２の一側縁１２ａをサドル面１７から逃がす逃げ溝１８を形成し、この逃げ溝１８により無終端積層バンド１２の一側縁１２ａに応力集中が起きるのを緩和する。
Ｖ形本体部１３の幅広側外側面１３ｃには更に、サドル面１７および逃げ溝１８間を所定の曲率で連続させる円弧部１９を形成する。
【００２７】
図４（ｂ）に示す第２平板エレメント１１ｂは、上記した第１平板エレメント１１ａの首部１４に無終端積層バンド１２の一側縁１２ａが接しても無終端積層バンド１２を全幅に亘り支え続けるよう、首部１４の幅を図４（ａ）のW1からW2へと全長に亘り細くしてサドル面１７を１７ａで示すように延長させ、このサドル面延長部１７ａと首部１４との間を図４（ａ）における逃げ部１８および円弧部１９と同様な逃げ部２０および円弧部２１により連続させて、無終端積層バンド１２の一側縁１２ａが第２平板エレメント１１ｂの首部１４に接するのを防止する。
【００２８】
平板エレメント１１として、上記の第１平板エレメント１１ａおよび第２平板エレメント１１ｂを用意し、これらを交互に重ねて無終端形状に連続配置した本実施例の組み立て式Ｖベルト１によれば、
第１平板エレメント１１ａの逃げ溝１８が、無終端積層バンド１２の一側縁１２ａをサドル面１７から逃がしてこの無終端バンド一側縁１２ａに応力集中が起きるのを防止し、
第１平板エレメント１１ａの円弧部１９が、サドル面１７および逃げ溝１８間を所定の曲率で連続させることにより、ここから無終端バンド１２に大きな応力が作用するのを防止して、
無終端バンド１２の摩耗を防止することができる。
【００２９】
他方で第２平板エレメント１１ｂの延長させたサドル面延長部１７ａは、第１平板エレメント１１ａの首部１４に無終端バンド１２の一側縁１２ａが接しても無終端バンド１２を全幅に亘り支え続けるため、
無終端バンド１２がバンド幅方向の湾曲量を急変される箇所を持たないこととなり、この湾曲量急変部がサドル面１７から局部的に大きな面圧を受けて局部摩耗するという問題を解消することができる。
【００３０】
更に、第２平板エレメント１１ｂに係わる上記サドル面１７の延長（サドル面延長部１７ａの設定）に際し、第２平板エレメント１１ｂの首部１４を図４（ｂ）にW2で示すごとく全長に亘り細くして当該サドル面の延長を実現したから、
首部１４に幅が急減するくびれ部を設定することなく、サドル面の延長が実現されることとなり、首部１４に応力集中する箇所が存在せず、Ｖベルトの大型化を防止することができる。
【００３１】
図５は本発明の他の実施例になる組み立て式Ｖベルトを示し、本実施例においては、図５（ａ）に示す第１平板エレメント１１ａを図４（ａ）に示すものと同様に構成するが、図５（ｂ）に示す第２平板エレメント１１ｂを以下のような構成となす。
【００３２】
つまりこの第２平板エレメント１１ｂは、図５（ａ）に示す第１平板エレメント１１ａの首部１４に無終端積層バンド１２の一側縁１２ａが接しても無終端積層バンド１２を全幅に亘り支え続けるよう、首部１４の幅を図５（ａ）のW1からW３へと全長に亘り細くしてサドル面１７を１７ａで示すように延長させ、このサドル面延長部１７ａと首部１４との間を、図４（ｂ）のような逃げ部２０および円弧部２１により連続させるのではなく、サドル面延長部１７ａと首部１４との交差隅角部を、該交差隅角内に曲率中心が位置する円弧凹面２２により構成し、無終端積層バンド１２の一側縁１２ａが第２平板エレメント１１ｂの首部１４に接するのを防止する。
【００３３】
図５（ａ）の第１平板エレメント１１ａおよび図５（ｂ）の第２平板エレメント１１ｂは、図５（ｃ）のように交互に重ねて無終端形状に連続配置し、両平板エレメント１１ａおよび１１ｂのサドル面１７に無終端積層バンド１２を掛けて組み立て式Ｖベルトを構成するが、本実施例のＶベルトによれば、前記した実施例によると同様な作用効果を奏し得るほかに、以下の作用効果が得られる。
【００３４】
つまり、前記実施例では、図４（ｂ）に示す第２平板エレメント１１ｂの首部１４の幅W2を、図４（ａ）に示す第１平板エレメント１１ａの首部１４の幅W1に対し、逃げ溝２０の直径の２倍だけ細くする必要があるのに対し、
本実施例では、図５（ｂ）に示す第２平板エレメント１１ｂの首部１４の幅W3を、図５（ａ）に示す第１平板エレメント１１ａの首部１４の幅W1に対し、サドル面延長部１７ａと首部１４との交差隅角部を成す円弧凹面２２の曲率半径の２倍だけ細くすれば足り、第２平板エレメント１１ｂの首部１４の幅W3を前記した実施例よりも太くすることができ、強度上大いに有利である。
【００３５】
図６は、本発明の更に他の実施例になる組み立て式Ｖベルトを示し、本実施例においては平板エレメント１１として、図６（ａ）に示すような第３平板エレメント１１ｃ、および、図６（ｂ）に示すような第４平板エレメント１１ｄを用意する。
【００３６】
図６（ａ）の第３平板エレメント１１ｃは、図の左側に位置する一方の無終端積層バンド１２に係わるサドル面１７と首部１４との間においてＶ形本体部１３の幅広側外側面１３ｃに、該一方の無終端バンド１２の一側縁１２ａをサドル面１７から逃がす逃げ溝１８と、これらサドル面１７および逃げ溝１８間を所定の曲率で連続させる円弧部１９とを形成されたものとする。
【００３７】
図６（ａ）の第３平板エレメント１１ｃは更に、図の右側に位置する他方の無終端バンド１２が首部１４に最接近しても該他方の無終端バンド１２を全幅に亘り支え続けるよう、該他方の無終端バンド１２に係わるサドル面１７を１７ａで示すように延長させたものとする。
このサドル面１７の延長に当たっては、図の右側に位置する上記他方の無終端バンド１２に近い首部１４の側面から、第３平板エレメント１１ｃの中心までの距離で表される幅をW3/2（W3は図５に示すと同じ）で示すように、反対側の幅W1/2（W1は図４、図５に示すと同じ）よりも、首部１４の全長に亘り細くして上記のサドル面延長部１７ａを設定する。
【００３８】
図６（ａ）の第３平板エレメント１１ｃにおいては更に、上記サドル面延長部１７ａと首部１４との交差隅角部を図５（ｂ）におけると同様、該交差隅角内に曲率中心が位置する円弧凹面２２により構成し、無終端積層バンド１２の一側縁１２ａが第３平板エレメント１１ｃの首部１４に接するのを防止する。
【００３９】
図６（ｂ）の第４平板エレメント１１ｄは、図の右側に位置する他方の無終端積層バンド１２に係わるサドル面１７と首部１４との間においてＶ形本体部１３の幅広側外側面１３ｃに、該他方の無終端バンド１２の一側縁１２ａをサドル面１７から逃がす逃げ溝１８と、これらサドル面１７および逃げ溝１８間を所定の曲率で連続させる円弧部１９とを形成されたものとする。
【００４０】
図６（ｂ）の第４平板エレメント１１ｄは更に、図の左側に位置する一方の無終端バンド１２が首部１４に最接近しても該一方の無終端バンド１２を全幅に亘り支え続けるよう、該一方の無終端バンド１２に係わるサドル面１７を１７ａで示すように延長させたものとする。
このサドル面１７の延長に当たっては、図の左側に位置する上記一方の無終端バンド１２に近い首部１４の側面から、第４平板エレメント１１ｄの中心までの距離で表される幅をW3/2（W3は図５に示すと同じ）で示すように、反対側の幅W1/2（W1は図４、図５に示すと同じ）よりも、首部１４の全長に亘り細くして上記のサドル面延長部１７ａを設定する。
【００４１】
図６（ｂ）の第４平板エレメント１１ｄにおいては更に、上記サドル面延長部１７ａと首部１４との交差隅角部を図５（ｂ）におけると同様、該交差隅角内に曲率中心が位置する円弧凹面２２により構成し、無終端積層バンド１２の一側縁１２ａが第４平板エレメント１１ｄの首部１４に接するのを防止する。
【００４２】
図６（ａ）の第３平板エレメント１１ｃおよび図６（ｂ）の第４平板エレメント１１ｄは、図６（ｃ）のように交互に重ねて無終端形状に連続配置し、両平板エレメント１１ｃおよび１１ｄのサドル面１７に無終端積層バンド１２を掛けて組み立て式Ｖベルトを構成するが、本実施例のＶベルトによれば以下の作用効果が得られる。
【００４３】
つまり、第３平板エレメント１１ｃおよび第４平板エレメント１１ｄの逃げ溝１８がそれぞれ、対応する無終端積層バンド１２の一側縁１２ａをサドル面１７から逃がしてこれら無終端積層バンド１２の一側縁１２ａに応力集中が起きるのを防止し、
第３平板エレメント１１ｃおよび第４平板エレメント１１ｄの円弧部１９がそれぞれ、対応するサドル面１７および逃げ溝間１８を所定の曲率で連続させることにより、ここから対応する無終端積層バンド１２に大きな応力が作用するのを防止して、
無終端積層バンド１２の摩耗を防止することができる。
【００４４】
他方で、第３平板エレメント１１ｃおよび第４平板エレメント１１ｄの延長させたサドル面１７ａはそれぞれ、第４平板エレメント１１ｄおよび第３平板エレメント１１ｃの首部１４に、対応する無終端積層バンド１２の一側縁１２ａが接するよう無終端積層バンド１２が首部１４に最接近してもこの無終端積層バンド１２を全幅に亘り支え続けるため、
無終端積層バンド１２がバンド幅方向の湾曲量を急変される箇所を持たないこととなり、この湾曲量急変部がサドル面１７から局部的に大きな面圧を受けて局部摩耗するという問題を解消することができる。
【００４５】
更に、上記サドル面１７の延長（サドル面延長部１７ａの設定）に際し、首部１４の幅をW3/2で示すごとく全長に亘り細くして当該サドル面の延長を実現するから、
首部１４に幅が急減するくびれ部を設定することなく、サドル面１７の延長が実現されることとなり、首部１４に応力集中する箇所が存在せず、Ｖベルトの大型化を防止することができる。
【００４６】
本実施例においては更に、図６（ａ）および図６（ｂ）の比較から明らかなように、第３平板エレメント１１ｃおよび第４平板エレメント１１ｄが、これらエレメントのバンド幅方向中央線（図６に一点鎖線で示す）の周りに一方を反転させた時、同じ形状ととなり、この反転状態で第３平板エレメント１１ｃおよび第４平板エレメント１１ｄを同仕様に構成することができる。
【００４７】
この場合、第３平板エレメント１１ｃおよび第４平板エレメント１１ｄを交互に平板エレメントの中央線周りに反転させて無終端形状に連続配置し、これら平板エレメント１１ｃおよび１１ｄのサドル面１７に無終端積層バンド１２を掛けることでＶベルトを組み立てることが可能となり、
第３平板エレメント１１ｃおよび第４平板エレメント１１ｄとして１種類の平板エレメントを用意するだけで組み立て式Ｖベルトを完成させることができ、部品の種類が減ってコスト上大いに有利である。
【図面の簡単な説明】
【００４８】
【図１】本発明の一実施例になる組み立て式Ｖベルトを具えたＶベルト式無段変速機の要部を示す縦断側面図である。
【図２】図１に示すＶベルト式無段変速機のプーリに対する組み立て式Ｖベルトの巻き掛け状態を示す側面図である。
【図３】同組み立て式Ｖベルトの詳細を示し、  （ａ）は、その一部側面図、  （ｂ）は、その平板エレメントと、これに掛けた無終端積層バンドとの関係を示す断面図である。
【図４】同組み立て式Ｖベルトの要部を更に拡大してその詳細を示し、  （ａ）は、その第１平板エレメントの首部周辺に係わる拡大詳細正面図、  （ｂ）は、その第２平板エレメントの首部周辺に係わる拡大詳細正面図、  （ｃ）は、第１および第２平板エレメントを重ねて組み合わせた状態を示す拡大詳細正面図である。
【図５】本発明の他の例になる組み立て式Ｖベルトの要部を拡大してその詳細を示し、  （ａ）は、その第１平板エレメントの首部周辺に係わる拡大詳細正面図、  （ｂ）は、その第２平板エレメントの首部周辺に係わる拡大詳細正面図、  （ｃ）は、第１および第２平板エレメントを重ねて組み合わせた状態を示す拡大詳細正面図である。
【図６】本発明の更に他の例になる組み立て式Ｖベルトの要部を拡大してその詳細を示し、  （ａ）は、その第３平板エレメントの首部周辺に係わる拡大詳細正面図、  （ｂ）は、その第４平板エレメントの首部周辺に係わる拡大詳細正面図、  （ｃ）は、第３および第４平板エレメントを重ねて組み合わせた状態を示す拡大詳細正面図である。
【図７】従来の組み立て式Ｖベルトを、横断面としバンド方向方向に見て示す断面図である。
【図８】従来の組み立て式Ｖベルトの他の例を示し、  （ａ）は、一方の平板エレメントの首部周辺に関する拡大正面図、  （ｂ）は、他方の平板エレメントの首部周辺に関する拡大正面図、  （ｃ）は、これら平板エレメントを重ねて組み合わせた状態を示す拡大正面図である。
【符号の説明】
【００４９】
１  組み立て式Ｖベルト
２  プライマリプーリ
３  セカンダリプーリ
2a,3a  固定フランジ
2b,3b  可動フランジ
11  平板エレメント
11a  第１平板エレメント
11b  第２平板エレメント
11c  第３平板エレメント
11d  第４平板エレメント
12  無終端積層バンド
12a  無終端積層バンドの一側縁
13  平板状Ｖ形本体部、
13c  幅広側外側面
14  首部
15  平板状三角頭部
16  スリット部
17  サドル面
17a  サドル面延長部
18  逃げ溝
19  円弧部
20  逃げ溝
21  円弧部
22  円弧曲面
【図１】
2005273806.tif 000003
【図２】
2005273806.tif 000004
【図３】
2005273806.tif 000005
【図４】
2005273806.tif 000006
【図５】
2005273806.tif 000007
【図６】
2005273806.tif 000008
【図７】
2005273806.tif 000009
【図８】
2005273806.tif 000010